(57)【要約】【課題】複数の無線システムを効率的に切替え可能な無線端末装置を提供する。【解決手段】本発明に係る無線端末装置は、無線システムＡに対応した送受信部１及びベースバンド信号処理部２と、無線システムＢに対応した送受信部３及びベースバンド信号処理部４と、ベースバンド信号処理部２，４を制御するシステム制御部５と、信号無線システムＡ，Ｂの切替えを制御する切替え制御部６と、ユーザの希望を取り込むユーザ希望取り込み部７とを備えている。即時性を要求する情報通信を行っている場合には無線システムを不用意に切替えずに、同じ無線システム内でパラメータ変更により伝送速度を高速化するため、情報が途中で途切れるおそれがなくなり、安定した通信を行うことができる。また、即時性を要求しない情報通信を行っている場合には、できるだけ伝送速度を高速化できる無線システムを選択するようにしたため、より高速の通信が可能となる。【選択図】  図１
2005026878.tif 000002
【特許請求の範囲】
【請求項１】
無線通信方式がそれぞれ異なる複数の無線システムのいずれかを選択して無線通信を行うことが可能な無線端末装置において、
現在行っている通信がリアルタイム通信か、ノンリアルタイム通信かを判断する通信種別判断手段と、
前記通信種別判断手段の判断結果とユーザの希望条件とに基づいて、現在選択している無線システム内のパラメータ変更により通信特性を変更するか、他の無線システムに切り替えるか、または現在の通信環境をそのまま維持するかを決定する通信環境決定手段と、を備えることを特徴とする無線端末装置。
【請求項２】
前記ユーザの希望条件は、伝送速度、通信時の消費電力及び通信品質の少なくとも一つを含むことを特徴とする請求項１に記載の無線端末装置。
【請求項３】
無線通信方式がそれぞれ異なる複数の無線システムのいずれかを選択して無線通信を行うことが可能な無線端末装置において、
ユーザが高速通信を希望する場合に、現在通信中か否かを判断する通信判断手段と、
前記通信判断手段により現在通信中でないと判断されると、無線システムの切替を行うシステム切替手段と、
前記通信判断手段により現在通信中であると判断されると、リアルタイム通信中か否かを判断するリアルタイム通信判断手段と、
前記リアルタイム通信判断手段によりリアルタイム通信中と判断されると、現在選択されている無線システムの中で伝送速度の高速化が可能であれば伝送速度を高くし、伝送速度の高速化が不可能であれば現状の伝送速度を維持するリアルタイム処理手段と、
前記リアルタイム通信判断手段によりリアルタイム通信中でないと判断されると、現在選択されている無線システムの中で伝送速度の高速化が可能でなければ他の無線システムに切り替え、伝送速度の高速化が可能であれば、伝送速度を高速化した後の伝送速度と他の無線システムに切り替えた場合の伝送速度とを比較して、伝送速度の高い方を選択するノンリアルタイム処理手段と、を備えることを特徴とする無線端末装置。
【請求項４】
前記リアルタイム処理手段は、
現在選択されている無線システムの中で伝送速度の高速化が可能か否かを判断する第１の伝送速度向上判断手段と、
前記第１の伝送速度向上判断手段により伝送速度の高速化が不可能と判断された場合に、現在行っているリアルタイム通信が無線システムの切替による遅延を許容するか否かを判断する遅延許容判断手段と、
前記遅延許容判断手段により遅延が許容されると判断されると、伝送速度の高速化が見込める他の無線システムが存在するか否かを判断する他システム判断手段と、
前記他システム判断手段により他の無線システムが存在すると判断されると、該他の無線システムに切り替え、存在しないと判断されるか、または前記遅延許容判断手段により遅延が許容されないと判断されると、現状の伝送速度を維持する第１の伝送速度決定手段と、を有することを特徴とする請求項３に記載の無線端末装置。
【請求項５】
前記リアルタイム処理手段は、前記他システム判断手段により他の無線システムが存在すると判断されると、該他の無線システムの通信品質が所定の基準品質以上であるか否かを判断する第１の通信品質判断手段を有し、
前記第１の伝送速度決定手段は、前記リアルタイム処理手段により前記基準品質以上と判断されると、他の無線システムに切り替え、前記基準品質未満と判断されると、現状の伝送速度を維持することを特徴とする請求項４に記載の無線端末装置。
【請求項６】
前記ノンリアルタイム処理手段は、
現在選択されている無線システムの中で伝送速度の向上が可能か否かを判断する第２の伝送速度向上判断手段と、
前記第２の伝送速度向上判断手段により伝送速度の向上が可能と判断された場合に、現在選択されている無線システムの中で伝送速度を高くした場合の伝送速度と、他の無線システムに切り替えた場合の伝送速度とを比較する伝送速度比較手段と、
前記伝送速度比較手段により、他の無線システムの伝送速度の方が速いと判断されると、該他の無線システムの通信品質が所定の基準品質以上か否かを判断する第２の通信品質判断手段と、
前記第２の通信品質判断手段により前記基準品質以上と判断されると、該他の無線システムに切り替え、前記基準品質未満と判断されると、現在選択されている無線システムの中で伝送速度を高くする第２の伝送速度決定手段と、を有することを特徴とする請求項３〜５のいずれかに記載の無線端末装置。
【請求項７】
無線通信方式がそれぞれ異なる複数の無線システムのいずれかを選択して無線通信を行うことが可能な無線端末装置において、
ユーザが低消費電力通信を希望する場合に、現在通信中か否かを判断する通信判断手段と、
前記通信判断手段により現在通信中でないと判断されると、無線システムの切替を行うシステム切替手段と、
前記通信判断手段により現在通信中であると判断されると、リアルタイム通信中か否かを判断するリアルタイム通信判断手段と、
前記リアルタイム通信判断手段によりリアルタイム通信中と判断されると、現在選択されている無線システムの中で低消費電力通信が可能か否かを判断する第１の低消費電力通信判断手段と、
前記第１の低消費電力通信判断手段により低消費電力通信が可能でないと判断されると、現在行っているリアルタイム通信が無線システムの切替による遅延を許容するか否かを判断する遅延許容判断手段と、
前記遅延許容判断手段により遅延が許容されると判断されると、低消費電力通信が可能な他の無線システムが存在するか否かを判断する他システム判断手段と、
前記他システム判断手段により他の無線システムが存在すると判断されると、該他の無線システムに切り替え、存在しないと判断されるか、または前記遅延許容判断手段により遅延が許容されないと判断されると、現在選択されている無線システムにて現在の伝送速度を維持する第１の無線システム決定手段と、
前記リアルタイム通信判断手段によりリアルタイム通信中でないと判断されると、現在選択されている無線システムの中で低消費電力通信が可能か否かを判断する第２の低消費電力通信判断手段と、
前記第２の低消費電力通信判断手段により低消費電力通信が可能と判断されると、現在選択されている無線システムの中で低消費電力通信を行った場合の消費電力と、他の無線システムに切り替えた場合の消費電力とを比較する消費電力比較手段と、
現在選択されている無線システムの方が消費電力が低いと判断された場合には、現在選択されている無線システムにて現在の伝送速度を維持し、前記消費電力比較手段により他の無線システムの方が消費電力が低いと判断された場合か、または前記第２の低消費電力通信判断手段により低消費電力通信が不可能と判断された場合には、該他の無線システムに切り替える第２の無線システム決定手段と、を備えることを特徴とする無線端末装置。
【請求項８】
無線通信方式がそれぞれ異なる複数の無線システムのいずれかを選択して無線通信を行うことが可能な無線端末装置において、
通信品質が低下した場合に、リアルタイム通信中か否かを判断するリアルタイム通信判断手段と、
前記リアルタイム通信判断手段によりリアルタイム通信中と判断されると、現在選択されている無線システムの中で、伝送速度を下げると通信品質が向上するか否かを判断する第１の通信品質向上判断手段と、
現在選択されている無線システムの中で伝送速度の変更ができない場合、または前記第１の通信品質向上判断手段により伝送速度を下げても通信品質が向上しないと判断された場合には、現在選択されている無線システムで現状の伝送速度を維持し、前記通信品質向上判断手段により通信品質が向上すると判断されると、現在選択されている無線システムで伝送速度を下げる第１の伝送速度決定手段と、
前記リアルタイム通信判断手段によりリアルタイム通信中でないと判断されると、現在選択されている無線システムの中で、伝送速度を下げると通信品質が向上するか否かを判断する第２の通信品質向上判断手段と、
前記第２の通信品質向上判断手段により通信品質が向上すると判断されると、伝送速度を下げた場合の通信品質と、他の無線システムでの通信品質とを比較する通信品質比較手段と、
前記通信品質比較手段により、現在選択されている無線システムで伝送速度を下げた方が通信品質が優れていると判断されると、前記通信品質比較手段で比較した両者の伝送速度を比較する伝送速度比較手段と、
前記第２の通信品質向上判断手段の判断結果と、前記通信品質比較手段及び前記伝送速度比較手段の比較結果とに基づいて、無線システムの切り替えを行うか、現在選択されている無線システムで伝送速度を下げるかを決定する第２の伝送速度決定手段と、を備えることを特徴とする無線端末装置。
【請求項９】
無線通信方式がそれぞれ異なる複数の無線システムのいずれかを選択して無線通信を行うことが可能な無線端末装置において、
ユーザが高速通信を希望する場合に、現在通信中か否かを判断する通信判断手段と、
前記通信判断手段により現在通信中でないと判断されると、無線システムの切替を行うシステム切替手段と、
前記通信判断手段により現在通信中であると判断されると、リアルタイム通信中か否かを判断するリアルタイム通信判断手段と、
前記リアルタイム通信判断手段によりリアルタイム通信中と判断された場合に、通信中の情報量が所定量を超えるか否かを判断する情報量判断手段と、
前記リアルタイム通信判断手段及び前記情報量判断手段の判断結果に基づいて、リアルタイム通信中で情報量が前記所定量を超えない場合、リアルタイム通信中で情報量が前記所定量を超える場合、及びノンリアルタイム通信中の場合の３通りに分類する通信分類手段と、
前記通信分類手段の分類結果に基づいて、現在選択している無線システムで現状の伝送速度を維持するか、現在選択している無線システムの中で伝送速度を変更するか、または無線システムの切替を行うかを決定する伝送速度決定手段と、を備えることを特徴とする無線端末装置。
【請求項１０】
無線通信方式がそれぞれ異なる複数の無線システムのいずれかを選択して無線通信を行うことが可能な無線端末装置が行う通信制御方法において、
現在行っている通信がリアルタイム通信か、ノンリアルタイム通信かを判断し、
前記リアルタイム通信か前記ノンリアルタイム通信かの判断結果とユーザの希望条件とに基づいて、現在選択している無線システム内のパラメータ変更により通信特性を変更するか、他の無線システムに切り替えるか、または現在の通信環境をそのまま維持するかを決定することを特徴とする通信制御方法。
【発明の詳細な説明】
【０００１】
【発明の属する技術分野】
本発明は、複数の無線システムから任意の一つを選択して無線通信を行うことが可能な無線端末装置および通信制御方法に関する。
【０００２】
【従来の技術】
現在、セルラー系システムでは、ＰＤＣ、ＰＨＳ、ＣＤＭＡ２０００、Ｗ−ＣＤＭＡ及びＧＳＭなどの複数の無線システムが混在し、その他に、ホットスポットとしても機能する高速通信が可能な無線ＬＡＮが急速に発展している。
【０００３】
これらの無線通信システムは、システム毎に別々の周波数を用いて、別々の規格に従った通信を行っている。このため、各無線通信システムの無線端末は、それぞれのシステムに固有の端末となり、その対応システムのみにしか使用されなかった。
【０００４】
一方、近年、複数の無線システムの混在する状況に対応するため、複数の無線システムに対応した無線機器をあらかじめ内蔵し、複数の無線システムに接続可能な端末もある（以下「マルチモード端末」という）。
【０００５】
これらのマルチモード端末では、ハードウェアやソフトウェアの入れ替えにより、無線システムの切り替えや、各無線システムの通信パラメータを変更することができる。そのため、ユーザの希望や、使用中の無線システムの伝搬状態等が悪い場合に、他の無線システムにシステム間ハンドオーバを行うことが可能となる。
【０００６】
このようなシステム間ハンドオーバに関するいくつかの技術が提案されている（特許文献１，２参照）。特許文献１では、利用者の状況や伝搬状態に応じてハンドオーバ先の無線システムを自動的に選択して切替える方法を開示する。また、特許文献２では、ハンドオーバ先の無線システムの空きチャネル数と基地局のチャネルマージンを決定し、空きチャネル数からチャネルマージンを差し引いたチャネル余裕度を求め、それに基づいてシステムハンドオーバの可否を決定する方法を開示する。
【０００７】
【特許文献１】
特開２００２−１１２３４７公報
【特許文献２】
特開２００２−７７９６５公報
【０００８】
【発明が解決しようとする課題】
一方、システム間ハンドオーバを行う場合は、それに伴う処理遅延や処理電力が必要であるため、無駄なハンドオーバは極力避けるのが望ましい。特に、例えば音声やテレビ電話での動画サービス等のリアルタイム通信を行っている場合など、ユーザの通信情報によっては、ハンドオーバによる処理遅延等が大きく影響する場合があるが、従来それを考慮した通信システムの切替え方法の提案はなかった。
【０００９】
また、近年の無線システムでは、無線ＬＡＮやＷ−ＣＤＭＡ，ＧＳＭといった、伝送速度等に数段階のパラメータを設定して、伝搬路状況に応じてシステム内パラメータの選択ができるシステムが多くなってきている。それ以外にも、今後の無線端末では消費電力が大きく端末特性に影響するため、省消費電力モードを設定することも考えられる。
【００１０】
しかしながら、複数システムへの対応端末を想定し、ユーザの通信情報とシステム内のパラメータ選択を含めた統合的なシステム間ハンドオーバに関する提案はされていない。
【００１１】
本発明は、このような点に鑑みてなされたものであり、その目的は、複数の無線システムを効率的に切替え可能な無線端末装置および通信制御方法を提供することにある。
【００１２】
【課題を解決するための手段】
上述した課題を解決するために、本発明は、無線通信方式がそれぞれ異なる複数の無線システムのいずれかを選択して無線通信を行うことが可能な無線端末装置において、現在行っている通信がリアルタイム通信か、ノンリアルタイム通信かを判断する通信種別判断手段と、前記通信種別判断手段の判断結果とユーザの希望条件とに基づいて、現在選択している無線システム内のパラメータ変更により通信特性を変更するか、他の無線システムに切り替えるか、または現在の通信環境をそのまま維持するかを決定する通信環境決定手段と、を備える。
【００１３】
また、本発明は、無線通信方式がそれぞれ異なる複数の無線システムのいずれかを選択して無線通信を行うことが可能な無線端末装置において、ユーザが高速通信を希望する場合に、現在通信中か否かを判断する通信判断手段と、前記通信判断手段により現在通信中でないと判断されると、無線システムの切替を行うシステム切替手段と、前記通信判断手段により現在通信中であると判断されると、リアルタイム通信中か否かを判断するリアルタイム通信判断手段と、前記リアルタイム通信判断手段によりリアルタイム通信中と判断されると、現在選択されている無線システムの中で伝送速度の高速化が可能であれば伝送速度を高くし、伝送速度の高速化が不可能であれば現状の伝送速度を維持するリアルタイム処理手段と、前記リアルタイム通信判断手段によりリアルタイム通信中でないと判断されると、現在選択されている無線システムの中で伝送速度の高速化が可能でなければ他の無線システムに切り替え、伝送速度の高速化が可能であれば、伝送速度を高速化した後の伝送速度と他の無線システムに切り替えた場合の伝送速度とを比較して、伝送速度の高い方を選択するノンリアルタイム処理手段と、を備える。
【００１４】
また、本発明は、無線通信方式がそれぞれ異なる複数の無線システムのいずれかを選択して無線通信を行うことが可能な無線端末装置において、ユーザが低消費電力通信を希望する場合に、現在通信中か否かを判断する通信判断手段と、前記通信判断手段により現在通信中でないと判断されると、無線システムの切替を行うシステム切替手段と、前記通信判断手段により現在通信中であると判断されると、リアルタイム通信中か否かを判断するリアルタイム通信判断手段と、前記リアルタイム通信判断手段によりリアルタイム通信中と判断されると、現在選択されている無線システムの中で低消費電力通信が可能か否かを判断する第１の低消費電力通信判断手段と、前記第１の低消費電力通信判断手段により低消費電力通信が可能でないと判断されると、現在行っているリアルタイム通信が無線システムの切替による遅延を許容するか否かを判断する遅延許容判断手段と、前記遅延許容判断手段により遅延が許容されると判断されると、低消費電力通信が可能な他の無線システムが存在するか否かを判断する他システム判断手段と、前記他システム判断手段により他の無線システムが存在すると判断されると、該他の無線システムに切り替え、存在しないと判断されるか、または前記遅延許容判断手段により遅延が許容されないと判断されると、現在選択されている無線システムにて現在の伝送速度を維持する第１の無線システム決定手段と、前記リアルタイム通信判断手段によりリアルタイム通信中でないと判断されると、現在選択されている無線システムの中で低消費電力通信が可能か否かを判断する第２の低消費電力通信判断手段と、前記第２の低消費電力通信判断手段により低消費電力通信が可能と判断されると、現在選択されている無線システムの中で低消費電力通信を行った場合の消費電力と、他の無線システムに切り替えた場合の消費電力とを比較する消費電力比較手段と、現在選択されている無線システムの方が消費電力が低いと判断された場合には、現在選択されている無線システムにて現在の伝送速度を維持し、前記消費電力比較手段により他の無線システムの方が消費電力が低いと判断された場合か、または前記第２の低消費電力通信判断手段により低消費電力通信が不可能と判断された場合には、該他の無線システムに切り替える第２の無線システム決定手段と、を備える。
【００１５】
また、本発明は、無線通信方式がそれぞれ異なる複数の無線システムのいずれかを選択して無線通信を行うことが可能な無線端末装置において、通信品質が低下した場合に、リアルタイム通信中か否かを判断するリアルタイム通信判断手段と、前記リアルタイム通信判断手段によりリアルタイム通信中と判断されると、現在選択されている無線システムの中で、伝送速度を下げると通信品質が向上するか否かを判断する第１の通信品質向上判断手段と、現在選択されている無線システムの中で伝送速度の変更ができない場合、または前記第１の通信品質向上判断手段により伝送速度を下げても通信品質が向上しないと判断された場合には、現在選択されている無線システムで現状の伝送速度を維持し、前記通信品質向上判断手段により通信品質が向上すると判断されると、現在選択されている無線システムで伝送速度を下げる第１の伝送速度決定手段と、前記リアルタイム通信判断手段によりリアルタイム通信中でないと判断されると、現在選択されている無線システムの中で、伝送速度を下げると通信品質が向上するか否かを判断する第２の通信品質向上判断手段と、前記第２の通信品質向上判断手段により通信品質が向上すると判断されると、伝送速度を下げた場合の通信品質と、他の無線システムでの通信品質とを比較する通信品質比較手段と、前記通信品質比較手段により、現在選択されている無線システムで伝送速度を下げた方が通信品質が優れていると判断されると、前記通信品質比較手段で比較した両者の伝送速度を比較する伝送速度比較手段と、前記第２の通信品質向上判断手段の判断結果と、前記通信品質比較手段及び前記伝送速度比較手段の比較結果とに基づいて、無線システムの切り替えを行うか、現在選択されている無線システムで伝送速度を下げるかを決定する第２の伝送速度決定手段と、を備える。
【００１６】
また、本発明は、無線通信方式がそれぞれ異なる複数の無線システムのいずれかを選択して無線通信を行うことが可能な無線端末装置において、ユーザが高速通信を希望する場合に、現在通信中か否かを判断する通信判断手段と、前記通信判断手段により現在通信中でないと判断されると、無線システムの切替を行うシステム切替手段と、前記通信判断手段により現在通信中であると判断されると、リアルタイム通信中か否かを判断するリアルタイム通信判断手段と、前記リアルタイム通信判断手段によりリアルタイム通信中と判断された場合に、通信中の情報量が所定量を超えるか否かを判断する情報量判断手段と、前記リアルタイム通信判断手段及び前記情報量判断手段の判断結果に基づいて、リアルタイム通信中で情報量が前記所定量を超えない場合、リアルタイム通信中で情報量が前記所定量を超える場合、及びノンリアルタイム通信中の場合の３通りに分類する通信分類手段と、前記通信分類手段の分類結果に基づいて、現在選択している無線システムで現状の伝送速度を維持するか、現在選択している無線システムの中で伝送速度を変更するか、または無線システムの切替を行うかを決定する伝送速度決定手段と、を備える。
【００１７】
【発明の実施の形態】
以下、本発明に係る無線端末装置および通信制御方法について、図面を参照しながら具体的に説明する。
【００１８】
図１は本発明に係る無線端末装置の一実施形態の概略構成を示すブロック図である。図１の無線端末装置は、無線システムＡに対応した送受信部１及びベースバンド信号処理部２と、無線システムＢに対応した送受信部３及びベースバンド信号処理部４と、ベースバンド信号処理部２，４を制御するシステム制御部５と、信号無線システムＡ，Ｂの切替えを制御する切替え制御部６と、ユーザの希望を取り込むユーザ希望取り込み部７とを備えている。
【００１９】
ユーザ希望取り込み部７は、例えば、キーボードなどの入力装置や、マウスなどの指示部材である。切替え制御部６は、ユーザ希望取り込み部７からの信号と周囲の状況などに基づいて無線システムＡ，Ｂの切替えを行うか否かを判断する。切替え制御部６の出力信号に基づいて、システム制御部５、送受信部及びベースバンド信号処理部の動作が切り替わる。
【００２０】
なお、図１では、簡略化のために、２つの無線システムＡ，Ｂのみを表示しているが、無線システムの数には特に制限はない。例えば、ハードウェア的には１つの無線システムのみを有し、ソフトウェア的に複数の無線システムを切替えてもよい。
【００２１】
切替え制御部６の処理手順には複数通りが考えられる。以下、切替え制御部６の処理手順を順に説明する。
【００２２】
（第１の処理手順）
図２は切替え制御部６の第１の処理手順を示すフローチャートである。図２のフローチャートは、ユーザが高速伝送を希望する場合の処理手順を示している。まず、ユーザが通信中か否かを判定する（ステップＳ１）。通信中でない場合には、より高速伝送が可能な無線システムへのシステム変更を行う（ステップＳ２）。
【００２３】
通信中である場合には、現在行っている通信がリアルタイム通信か否かを判定する（ステップＳ３）。リアルタイム通信の場合には、現在選択している無線システムにてパラメータの変更により伝送速度を高速化（ビットレートをＵＰ）できるか否かを判定する（ステップＳ４）。
【００２４】
伝送速度を高速化できると判定された場合には、現在選択して無線システム内でパラメータを変更して伝送速度を高くし（ステップＳ５）、すでに最高の伝送速度になっている等の理由でパラメータを変更しても伝送速度を向上できない場合には、現状の伝送速度を維持する（ステップＳ６）。
【００２５】
一方、ステップＳ３でリアルタイム通信でないと判定された場合、すなわちノンリアルタイム通信の場合も、現在選択している無線システムにてパラメータの変更により伝送速度を高速化できるか否かを判定する（ステップＳ７）。
【００２６】
伝送速度を高速化できると判定された場合には、高速化した場合の伝送速度が他の無線システムの伝送速度よりも高いか否かを判定する（ステップＳ８）。ここでは、高速化した場合の伝送速度が他の無線システムの伝送速度から所定の値ｔｈｒを引いた値より高いか否かを判定してもよい。
【００２７】
高速化した場合の伝送速度の方が高ければ、ステップＳ５と同様にパラメータ変更を行い、他の無線システムの伝送速度の方が高ければ、ステップＳ２と同様に無線システムの切替えを行う。例えば、携帯電話システムにて、パラメータ変更後の伝送速度よりも他の無線システム（無線ＬＡＮなど）の伝送速度の方が高ければ、その無線システムにハンドオーバする。また、逆の場合、すなわち同一の無線システム内でパラメータを変更した方が高速伝送が可能な場合は、パラメータ変更のみを行う。
【００２８】
このように、第１の処理手順では、即時性を要求する情報通信を行っている場合には無線システムを不用意に切替えずに、同じ無線システム内でパラメータ変更により伝送速度を高速化するため、情報が途中で途切れるおそれがなくなり、安定した通信を行うことができる。また、即時性を要求しない情報通信を行っている場合には、できるだけ伝送速度を高速化できる無線システムを選択するようにしたため、より高速の通信が可能となる。
【００２９】
（第２の処理手順）
第２の処理手順は、第１の処理手順に、無線システムの切替えに伴う遅延を許容するか否かを判断する処理を追加したものである。
【００３０】
図３は切替え制御部６の第２の処理手順を示すフローチャートである。図３では、図２と同じ処理には同一のステップ番号を付しており、以下では相違点を中心に説明する。
【００３１】
ステップＳ４で、伝送速度を高速化できない（ビットレートをＵＰできない）と判定された場合には、現在行っているリアルタイム通信が無線システムの切替えに要する遅延を許容するか否かを判定する（ステップＳ９）。なお、無線システムの切替えに要する遅延時間は、既知であるか、対応する無線システムの基地局に問合せるものとする。
【００３２】
遅延を許容しない場合には、現在の無線システムを利用して現状の伝送速度のままで通信を継続し（ステップＳ６）、遅延を許容する場合には、伝送速度が高い他の無線システム（高レートシステム）が存在するか否かを判定する（ステップＳ１０）。もし存在しなければステップＳ６の処理を行い、存在すれば無線システムの切替えを行う（ステップＳ２）。
【００３３】
このように、第２の実施形態では、リアルタイム通信を行っている場合でも、無線システムの遅延が許容される場合には、必要に応じて無線システムの切替えを行うようにしたため、リアルタイム通信時の伝送速度をより高速化できる。
【００３４】
（第３の処理手順）
第３の処理手順は、第２の処理手順に加えて、通信品質が所定の基準品質以上か否かを判断する処理を行うものである。
【００３５】
図４は切替え制御部６の第３の処理手順を示すフローチャートである。図４では、図３と同じ処理には同一ステップ番号を付しており、以下では相違点を中心に説明する。
【００３６】
ステップＳ１で、現在通信中でないと判定されると、他の無線システムの通信品質が所定の基準品質以上か否かを判定する（ステップＳ１１）。ここでは、通信品質として、信号対干渉電力比（ＳＩＲ：Ｓｉｇｎａｌ  ｔｏ  Ｉｎｔｅｒｆｅｒｅｎｃｅ  Ｒａｔｉｏ）のようなチャネル状況を示す値を検出し、基準値以上か否かを判定する。
【００３７】
他の無線システムのＳＩＲが基準値以上であれば、無線システムの切替えを行い（ステップＳ２）、基準品質未満であれば、現在選択されている無線システムのままで現状の伝送速度を維持する（ステップＳ６）。
【００３８】
また、ステップＳ１０で、伝送速度の高い他の無線システムが存在すると判定された場合には、他の無線システムのＳＩＲが基準値以上か否かを判定し（ステップＳ１２）、基準値以上であれば、他の無線システムに切替え（ステップＳ２）、基準値未満であれば、現在選択されている無線システムのままで現状の伝送速度を維持する（ステップＳ６）。
【００３９】
また、ステップＳ８で、他の無線システムの方が伝送速度が高いと判定された場合も、他の無線システムのＳＩＲが基準値以上か否かを判定し（ステップＳ１３）、基準値以上であればステップＳ２の処理を行い、基準値未満であればステップＳ５の処理を行う。
【００４０】
このように、第３の処理手順では、伝送速度が高速の他の無線システムが存在する場合でも、その無線システムのチャネル状態が悪い場合には、その無線システムを選択しないようにするため、チャネル状態が悪いために高速伝送ができないという不具合が起きなくなり、無駄なハンドオーバを行わなくてすむ。
【００４１】
なお、通信品質とは、上述したＳＩＲに限らず、各無線システムが稼動に必要な最低限のチャネル状況でもよいし、各ユーザが独自に最低限のチャネル状況を設定してもよい。
【００４２】
（第４の処理手順）
第４の処理手順は、ユーザが低消費電力通信を希望する場合の処理である。
【００４３】
図５は切替え制御部６の第４の処理手順を示すフローチャートである。ステップＳ３で、リアルタイム通信であると判定されると、現在選択している無線システム内で省電力モード（省エネモード）を選択できるか否かを判定する（ステップＳ２１）。省エネモードが選択できる場合には、現在選択している無線システム内のパラメータを切替える（ステップＳ２２）。
【００４４】
ステップＳ２１で、省エネモードを選択できないと判定されると、無線システムの切替えに要する遅延を許容するか否かを判定し（ステップＳ９）、許容しない場合には現状維持であり（ステップＳ６）、許容する場合には、低消費電力（低消費パワー）の他の無線システムが存在するか否かを判定する（ステップＳ２４）。存在しなければ現状維持であり（ステップＳ６）、存在すれば、無線システムの切替えを行う（ステップＳ２）。
【００４５】
一方、ノンリアルタイム通信の場合は、省エネモードを選択できるか否かを判定し（ステップＳ２５）、選択できない場合は無線システムの切替えを行い（ステップＳ２）、選択できる場合は、現在の無線システムで省エネモードを選択した場合の消費電力が他の無線システムの消費電力より低いか否かを判定し（ステップＳ２６）、低い場合には、現在の無線システムでパラメータを変更し（ステップＳ２２）、他の無線システムの消費電力の方が低い場合には無線システムの切替えを行う（ステップＳ２）。
【００４６】
このように、第４の処理手順では、低消費パワーが可能な無線システムを選択できるため、例えば、Ｗ−ＣＤＭＡのような消費電力のかなり大きい無線システムを使用してノンリアルタイム通信を行っている最中に携帯電話の電池残量が少なくなった場合には、例えばＰＤＣやＰＨＳ等のＷ−ＣＤＭＡよりも消費電力の少ない無線システムに変更することができる。
【００４７】
（第５の処理手順）
第５の処理手順は、通信中に通信品質が低下した場合の処理である。
【００４８】
図６は切替え制御部６の第５の処理手順を示すフローチャートである。図６が図３と大きく異なるのは、リアルタイム通信時に同一システム内で変更するパラメータが存在しない場合の処理内容とノンリアルタイム通信時の処理内容である。
【００４９】
リアルタイム通信時は、まずパラメータの変更が可能か否か、すなわち同一の無線システム内で伝送速度の変更が可能か否か、すなわち複数レートシステムに対応しているか否かを判定する（ステップＳ３１）。パラメータの変更が可能な場合は、現在選択している伝送速度よりも低い伝送速度が存在するか否かを判定する（ステップＳ３２）。このような伝送速度が存在する場合には、その伝送速度を選択する（ステップＳ３３）。この場合、伝送速度を下げることになる。
【００５０】
また、ステップＳ３１で伝送速度の変更ができないと判定された場合、あるいは現在選択している伝送速度よりも低い伝送速度が存在しないと判定された場合には、無線システムの通信品質が非常に悪いか否かを判定する（ステップＳ３４）。それほど悪くない場合には現状維持とし（ステップＳ６）、非常に悪い場合には無線システムの切替えを行う（ステップＳ２）。
【００５１】
一方、ノンリアルタイム通信時は、パラメータの変更が可能か否か、すなわち複数レートシステムに対応しているか否かを判定し（ステップＳ３５）、パラメータの変更が可能な場合は、現在選択している伝送速度よりも低い伝送速度が存在するか否かを判定する（ステップＳ３６）。ＳＩＲが上がるような伝送速度が存在する場合には、その伝送速度を選択した場合のＳＩＲが他の無線システムのＳＩＲより高いか否かを判定する（ステップＳ３７）。高いと判定された場合には、ＳＩＲが上がるような伝送速度が、他の無線システムの伝送速度から所定値を引いた値より高いか否かを判定する（ステップＳ３８）。
【００５２】
ステップＳ３８において、高いと判定されると、同一の無線システムにて伝送速度を下げる（ステップＳ３３）。ステップＳ３５，Ｓ３６またはＳ３７の判定が否定された場合、またはステップＳ３８で高くないと判定された場合には、無線システムを切替える（ステップＳ２）。
【００５３】
このように、第５の処理手順では、現在選択している無線システムのＳＩＲが通信中に下がると、自動的に伝送速度を下げたり、他の無線システムへの変更を行うため、常に安定した通信品質で通信を行うことができる。
【００５４】
なお、図６のステップＳ３８では、現在選択している無線システムの伝送速度と他の無線システムの伝送速度から所定値αを引いた値とを比較しているが、所定値αの値は無線システムの優先度やユーザの所望する伝送速度等の条件を考慮して、各無線端末装置で設定してもよいし、基地局やその他の制御局で設定してもよい。
【００５５】
（第６の処理手順）
上述した第１〜第５の処理手順では、リアルタイム通信とノンリアルタイム通信の２つに分けて処理を行う例を説明したが、情報種別は必ずしもこれら２つに限定されない。以下に説明する第６の処理手順では、（１）音声等のリアルタイム性で情報量が少ない通信、（２）ストリーミングデータや動画（映画配信）等のリアルタイム性で情報量が多い通信、（３）大容量データ等のノンリアルタイム性で情報量が多い通信の３つに分ける例を説明する。
【００５６】
図７は切替え制御部６の第６の処理手順を示すフローチャートである。図７では、図４と共通する処理には同一のステップ番号を付しており、以下では相違点を中心に説明する。
【００５７】
リアルタイム通信の場合で、情報量が多い場合には、ステップＳ４１〜Ｓ４４の処理を行う。すなわち、まず、同一の無線システム内で伝送速度を高速化できるか否かを判定し（ステップＳ４２）、高速化できる場合には、高速化した伝送速度が他の無線システムの伝送速度より高いか否かを判定する（ステップＳ４３）。高速化した伝送速度の方が高い場合には、その伝送速度を設定すべく、パラメータを変更する（ステップＳ５）。
【００５８】
一方、ステップＳ４２で伝送速度を高速化できないと判定された場合、または、ステップＳ４３で他の無線システムの伝送速度の方が高いと判定された場合には、無線システムの切替えに要する遅延を許容するか否かを判定し（ステップＳ４４）、許容する場合には無線システムを切替え（ステップＳ２）、許容しない場合には、同一無線システム内でパラメータを変更する（ステップＳ５）。
【００５９】
一方、リアルタイム通信で、情報量が少ない場合には、図３や図４のステップＳ４，Ｓ９と同様の処理を行う。また、ノンリアルタイム通信の場合も、図４のステップＳ７，Ｓ８，Ｓ１１，Ｓ１３と同様の処理を行う。
【００６０】
このように、第６の実施形態では、上述した（１）〜（３）のそれぞれに最適な通信を行うことができる。
【００６１】
なお、図７では、３種類に分けて処理を行う例を説明したが、４種類以上に分けて処理を行ってもよい。
【００６２】
【発明の効果】
以上詳細に説明したように、本発明によれば、通信種別とユーザの希望条件とに基づいて、無線システム内のパラメータ変更を行うか、他の無線システムに切り替えるか、現在の通信環境をそのまま維持するかを決定するため、通信種別とユーザの希望条件に見合うような通信を行うことができる。
【００６３】
また、本発明によれば、ユーザが伝送速度の高速化を希望する場合には、リアルタイム通信を行っていれば、通信を遮断せずに伝送速度の高速化が図れ、また、ノンリアルタイム通信を行っていれば、より高速の伝送速度を実現できる。
【００６４】
また、ユーザが低消費パワー通信を希望する場合も、リアルタイム通信を行っていれば、通信を遮断しない範囲で消費電力の低減を図ることができ、また、ノンリアルタイム通信を行っていれば、より低消費電力化を図ることができる。
【図面の簡単な説明】
【図１】本発明に係る無線端末装置の一実施形態の概略構成を示すブロック図。
【図２】切替え制御部６の第１の処理手順を示すフローチャート。
【図３】切替え制御部６の第２の処理手順を示すフローチャート。
【図４】切替え制御部６の第３の処理手順を示すフローチャート。
【図５】切替え制御部６の第４の処理手順を示すフローチャート。
【図６】切替え制御部６の第５の処理手順を示すフローチャート。
【図７】切替え制御部６の第６の処理手順を示すフローチャート。
【符号の説明】
１，３  送受信部
２，４  ベースバンド信号処理部
５  システム制御部
６  切替え制御部
７  ユーザ希望取り込み部
【図１】
2005026878.tif 000003
【図２】
2005026878.tif 000004
【図３】
2005026878.tif 000005
【図４】
2005026878.tif 000006
【図５】
2005026878.tif 000007
【図６】
2005026878.tif 000008
【図７】
2005026878.tif 000009